(57)【要約】【課題】  開梱および内容物の取り出しが容易な梱包用の袋および梱包体を提供する。【解決手段】  底面１２および側面２１、２２がそれぞれ矩形状で、高さの寸法が幅よりも大きく、広い側面２１の中央部に縦方向に２本の切れ目線１７からなる破断線が形成されている梱包用の紙袋１０。２本の切れ目線１７の間に切れ目線を横切る横向きの開封線１８が形成されている。紙袋１０にパック２３を整列状態で密に収容し、上端開口を折り畳んで粘着テープ２４で閉じることにより、開梱作業が容易な梱包体１５が得られる。【選択図】  図２
2005255202.tif 000002
【特許請求の範囲】
【請求項１】
有底筒状の梱包用の袋であって、底面を下向きにした梱包状態でいずれかの側面となる面に、少なくとも１本の破断線が設けられている梱包用の袋。
【請求項２】
前記袋が紙製で、底面および側面がそれぞれ矩形状であり、底面を下向きにした梱包状態で、高さの寸法が幅よりも大きく、前記破断線が、梱包状態における４つの側面の内、面積が広い側面に、左右方向の中央部で縦方向に形成されている請求項１記載の梱包用の袋。
【請求項３】
前記破断線が２本平行に形成され、かつ、その２本の破断線を横切る横向きの弱め線ないし切り離し部からなる開封線が設けられている請求項１記載の梱包用の袋。
【請求項４】
前記破断線が、前記側面の内面側に貼着されたテープないし糸によって形成される請求項１記載の梱包用の袋。
【請求項５】
前記テープないし糸の一部が袋の外側に突出している請求項４記載の梱包用の袋。
【請求項６】
前記縦向きの破断線が設けられている側面の端縁近辺に沿って、縦向きの破断線とつながるように横向きの破断線が設けられている請求項２記載の梱包用の袋。
【請求項７】
請求項１、２、３、４、５または６のいずれかに記載の梱包用の袋と、その袋内に整列状態で密に詰められた複数個の被梱包物とからなり、前記袋の開口部が折り畳まれて封緘され、底面と同形の上面となっている梱包体。
【発明の詳細な説明】
【技術分野】
【０００１】
本発明は梱包用の袋に関する。さらに詳しくは、複数個の商品などを梱包するための、段ボール箱に代えて用いられる梱包用の袋に関する。
【背景技術】
【０００２】
【特許文献１】特開２００３−１６０１４４号公報
【特許文献２】特開２００３−２１２２０２号公報
【０００３】
トイレットペーパなどの商品は、通常は買い物客が持ち帰りやすいように、１２〜１８ロール程度を１パックに包装して店頭で販売される。そのときの包装材は透明なポリエチレンなどの合成樹脂製の袋が使用され、上端に手で提げるための持ち手が設けられる。他方、工場から問屋などを経由してトラックで運搬される流通段階では、それらのワンパック包装を段ボール箱に複数パック収容して運搬する。それにより倉庫やトラックの荷台に多段で積み重ねても安全に保管・収納することができる。
【０００４】
他方、米、小麦粉、肥料などの粉体ないし粒状体は５〜２０ｋｇ程度をクラフト紙の紙袋に充填して搬送・保管される。このような紙袋は、たとえば特許文献１に開示されているように紙を筒状に形成したものを所定の長さに切断し、一方の開口部を折り畳み、糊などで封緘して底面とすることにより製造する。そして他方の開口部には、充填用のバルブ口を設けた上で、同じく折り畳んで糊などで封緘して上面とする。このような紙袋を用いた包装体は内容物を充填しているので積み重ねることができる。
【０００５】
すなわち積み上げた包装体の上側の重量は下側の包装体の内容物で支持され、紙袋自体は内容物がばらけないように緊縛する働きをするだけである。それにより紙袋は内容物の重量をほとんど支持せず、破れるおそれはない。なお、これらの紙袋では上面にバルブ口が設けられているので、底面側に開封用のテープを設けており、開封する場合は底面側を上にして開封用テープを引っ張り、底面を引き裂く。また上記の粉体を充填した包装体の場合でも、複数個の包装体をまとめて梱包する場合は通常は段ボール箱に収容する。そのほうが安定するのでフォークリフトなどの搬送機械で運ぶ場合に都合がよい。
【０００６】
特許文献２は、１６ロールなどのトイレットペーパを１パックとした包装製品をさらに複数パックを梱包して工場から出荷する場合に、段ボールに代えて紙袋を用いる方法を開示している。さらに紙袋を横向きに配置して複数パックを同時に紙袋に収納する方法、およびその方法を適用した自動包装ラインを開示している。
【０００７】
上記のように複数個の商品をまとめて梱包する場合は、消費者が持ち帰るワンパック包装を別にすれば、通常は段ボール箱が用いられる。しかし段ボール箱は紙袋に比して高価であり、厚さも数ミリメートルあるので、嵩高くなる。すなわちトラックの荷台に５〜１０段程度積み上げる場合、梱包材料である段ボールによって数センチ分、積載空間が占められることになる。
【０００８】
特許文献２の紙袋を梱包材料として使用する方法は、積み重ねたときに占める空間がかなり削減できる利点がある。ただし積み重ねができるようにするには、粉体の場合と同様に内容物で重量を支持できるように密に詰める必要がある。そして開口部は通常は折り畳んで梱包用の粘着テープで封緘するが、開封作業が煩雑であり、開口部からの内容物の取り出しが困難である。
【０００９】
すなわち開梱時には、一端開口部が上向きになるように梱包体を置き直し、粘着テープを外して上部の開口から内容物を取り出す。しかし下部の内容物は袋に密に詰まっているので、取り出しが困難であり、たとえば上下を逆にして、下方の内容物を開口部側に落とすことになる。そのため、梱包体を何度も向きを変える必要がある。なお、上部の開口から側面まで引き裂いて、内容物を取り出すこともできるが面倒である。
【発明の開示】
【発明が解決しようとする課題】
【００１０】
本発明は、合成樹脂袋あるいは紙袋と同程度に安価で、スペースをとらず、とくに開梱および内容物の取り出しが容易な梱包用の袋および梱包体を提供することを技術課題としている。
【課題を解決するための手段】
【００１１】
本発明の梱包用の袋は、有底筒状の梱包用の袋であって、底面を下向きにした梱包状態でいずれかの側面となる面に、少なくとも１本の破断線が設けられていることを特徴としている（請求項１）。このような梱包用の袋においては、前記袋が紙製で、底面および側面がそれぞれ矩形状であり、底面を下向きにした梱包状態で、高さの寸法が幅よりも大きく、前記破断線が、梱包状態における４つの側面の内、面積が広い側面に、左右方向の中央部で縦方向に形成されているものが好ましい（請求項２）。
【００１２】
また、前記破断線が２本平行に形成され、かつ、その２本の破断線を横切る横向きの弱め線ないし切り離し部からなる開封部が設けられているものが好ましい（請求項３）。前記破断線は、断続的な切れ目線やミシン目のほか、前記側面の内面側に貼着されたテープないし糸から形成することもできる（請求項４）。その場合は、テープないし糸の一部が袋の外側に突出しているものが好ましい（請求項５）。また前記縦向きの破断線が設けられている側面の端縁近辺に沿って、縦向きの破断線とつながるように横向きの破断線が設けられているものが好ましい（請求項６）。
【００１３】
本発明の梱包体は、前記いずれかの梱包用の袋と、その袋内に整列状態で密に詰められた複数個の被梱包物とからなり、前記袋の開口部が折り畳まれて封緘され、底面と同形の上面となっていることを特徴としている（請求項７）。
【発明の効果】
【００１４】
本発明の梱包用の袋（請求項１）は、開口部から被梱包物を袋の内面いっぱいに収容し、開口部を折り畳み、通常の手段で、たとえば梱包用のテープや糊で封緘することにより梱包体とすることができる 。そのとき、内容物はいわば袋によって緊縛された状態で一体化される。得られた梱包体は内部に被梱包物が詰まっているので、内部の重量は袋を通して下側の梱包体によって支持される。それにより、多段にしても安定して保管・運送することができる。
【００１５】
開梱する場合は、破断線が設けられている側面を上向きにし、破断線に沿って袋を開封する。それにより袋によって緊縛力されていた内容物が緩められ、破断した部分を広く開いて内容物を順に取り出すことができる。すなわち、梱包時には、袋に「たが張り力（フープストレス）」と同様の周方向の張力が加わっている。そして側面を縦方向に破断することによりその張力が解除され、内容物の緊縛がなくなる。そのため内容物を楽に取り出すことができる。
【００１６】
本発明の梱包用袋では、上記のように側面から内容物を取り出すようにしているので、梱包時に閉じた開口部は開ける必要がなく、しかも何度も向きを変えたりする必要がない。さらに本発明の袋では、側面から内容物を取り出すので、梱包時に上端開口部を粘着テープやアウターパッチなどでしっかりと封緘することができる。それにより梱包体の形態維持性が向上する。また、側面に沿って破断線を引き裂いていくと、上面および下面（寝かせた状態では両端面となっている）まで達する。その後、上面や下面と側面との境目に沿って破ると、比較的まっすぐに破ることができる。それにより大きい開口部が得られ、さらに容易に内容物を取り出すことができる。
【００１７】
前記袋が紙製で、底面および側面がそれぞれ矩形状であり、底面を下向きにした梱包状態で、高さの寸法が幅よりも大きく、前記破断線が、梱包状態における側面の内、面積が広い側面に、左右方向の中央部で縦方向に形成されている場合（請求項２）は、破断線がある側面を上向きにして積み上げて保管したり搬送すれば、安定した状態で保管・搬送をすることができる。しかも積み降ろした状態で向きを変えずに安定した状態で開封することができる。また、筒状の紙袋の場合は、縦方向が紙の繊維の向きであるので、縦方向の破断線は比較的まっすぐに破ることができる利点がある。
【００１８】
前記破断線が２本平行に形成され、かつ、その２本の破断線を横切る横向きの弱め線ないし切り離し部からなる開封部が設けられている場合（請求項３）は、開封部の近くを押して２本の破断線を押し破り、その部分から指を入れて開封部を摘んで引っ張るだけで、２本の破断線の間の部分をテープ状にまっすぐに破りとることができる。それにより、容易に開口部を形成することができる。
【００１９】
前記破断線が、前記側面の内面側に貼着されたテープないし糸からなる場合（請求項４）は、テープないし糸を引っ張ることにより、袋を破断していくことができる。このようなテープないし糸は、ミシン目と一緒に設ける場合はさらに破断が容易である。テープの場合は、テープの両側縁と袋の境界部分で境界切れを生ずるので、所定幅の部分を破り取ることができる。さらに前記テープないし糸の一部が袋の外側に突出している場合（請求項５）は、その突出している部分を引っ張るだけで、容易に袋の側面を破断することができる。
【００２０】
前記縦向きの破断線が設けられている側面の端縁近辺に沿って、縦向きの破断線とつながるように横向きの破断線が設けられている場合（請求項６）は、縦向きの破断線に沿って中央を開いた後、横向きの破断線に沿って容易に引き破ることができ、側面全体を広く開放することができる。それによりさらに容易に内容物を取り出すことができる。
【００２１】
本発明の梱包体（請求項７）は、多数の被梱包物を密に袋に収容することができ、多段に安全に積み重ねることができる。しかも、開封時には容易に被梱包物を取り出すことができる。
【発明を実施するための最良の形態】
【００２２】
つぎに図面を参照しながら本発明の梱包用の袋および梱包体の実施の形態を説明する。図１は本発明の梱包用の袋の一実施形態を示す斜視図、図２および図３はその梱包用の袋の使用状態を示す斜視図、図４ａは図１の袋の開封部を示す要部平面図、図４ｂはその開封部の開封手順を示す斜視図、図５は図１の袋の開梱手順を示す斜視図、図６は本発明に関わる破断線の他の実施形態を示す斜視図、図７は本発明の梱包体のさらに他の実施形態を示す斜視図である。
【００２３】
図１に示す梱包用の紙袋１０は、帯状のシートの両端を貼り合わせて形成した筒状体を適切な長さに切断し、一端の開口部を折り畳み、アウターパッチ１１を貼り付けて底面１２を形成したものである。開口部の形状および折り畳む手順は公知であるが、たとえば、印刷した帯状のシートを筒状に張り合わせ、さらに扁平にした筒状体（チューブ）を一袋分の長さに切断し、突片１３を設けるため、その一端に２本の縦方向の切れ目を入れ、両側に三角形状の展開部１４を形成するように押し拡げ、突片１３を互いに向き合うように折り曲げ、開口部を封緘するアウターパッチ１１を貼り付ける。なお、通常は突片１３を折り曲げる前にあらかじめインナーパッチを貼り付けてシール性および強度を向上させる。
【００２４】
シート材料は強度が高く、張りおよび腰が強い材料で、伸びにくいもの、とくに包装用に用いられているクラフト紙が好ましい。梱包する内容物に応じて２層あるいは３層以上にすることもできる。また、上記の性質を満たせば、合成樹脂製のシートであってもよい。さらに紙と合成樹脂とを組み合わせた袋であってもよい。
【００２５】
紙袋の大きさは、被梱包物およびその数、配列、形態などに応じて定められる。たとえば、複数ロールのトイレットペーパを１パック包装した略直方体状のパック包装体を梱包する場合は、図２の梱包体１５の形態で、たとえば横幅４１０ｍｍ、奥行き３６０ｍｍ、高さ１０４０ｍｍ程度の大きさとする。
【００２６】
さらに図１の状態の扁平な袋１０では、一方の側縁の山折り線１６の近辺に、２本のミシン目ないし切れ目線１７が山折り線１６と平行に形成されている。切れ目線１７は前述の三角形状の展開部１４およびその裏面側にも続いている。そしてその長さ方向の中間部に、図４ａに示すような、平行な切れ目線１７を連結する開封線１８が形成されている。切れ目線１７としては、たとえば切れ目部１７ａの長さが５〜２０ｍｍ程度、つながり部１７ｂの長さが１〜５ｍｍ程度で切れ目が断続的に連続するものが好ましい。切れ目線１７同士の間隔は、１０〜３０ｍｍ程度が好ましい。
【００２７】
開封線１８は平行な切れ目線１７と同様の切れ目線とすることができる。ただし、平行切れ目線１７同士の間隔が狭い場合は、単に切り離してもよい。また、この実施形態では開封線１８は湾曲している。それにより、押し込むときの指の位置を示すことができ、左右の切れ目線１７に開封線１８が小さい角度で連続するので引き裂きやすい。切れ目線１７は帯状のシートを筒状体に形成する前に切り刃ローラなどで形成することができる。筒状体にしてから形成することもできる。開封線１８は袋一枚分ごとに同期して作動するカッタなどで形成することができる。ただし他の工程で形成することもできる。
【００２８】
なお、図１の場合は切れ目線１７は底部１２や上面（図２の符号２０ａ）まで形成されないように、底部１２や上面２０ａとの境界で止めている。それにより図５のように開封するときに横方向（矢印Ｋ４、Ｋ５方向）に破りやすい。ただし底部１２や上面２０ａまで切れ目線１７を入れてもよい。切れ目線１７はたとえば帯状の紙を複数枚重ねた後、筒状に形成する前の工程で、一対の円板状の切り刃ローラなどで入れることができる。切れ目線１７を底部１２や上面２０ａに入れないようにするには、たとえばカッタを支持する軸を、袋一枚分ごとに同期を取りながら駆動し、カッタを断続的に帯状の紙に押し当てるようにする。図７の横向きの切れ目線４０についても、たとえばその直後に平板状のカッタを同期をとりながら押し当てて一斉に入れることができる。
【００２９】
上記のように構成される梱包用の紙袋１０は、図１の扁平な状態で重ねて保管する。この場合も組立前の段ボール箱を積み重ねて保管するよりスペースがはるかに少なくて済む。紙袋１０を使用する場合は、まず図１の一点鎖線１９を山折りして右端の開口部（図２の符号２０）を開き、底面１２を下にして立てる。それにより図２の想像線で示すように、上端に底面と同形状の開口部２０を有し、下端が四角形で、それぞれ四角形の前後の側面２１および左右の側面２２を有する角筒となる。図１の一点鎖線１９は側面２１、２２同士を区切る稜線１９ａとなる。この状態では、図１の三角形状の展開部１４も前後の側面２１の一部になる。切れ目線１７は前側の側面２１のほぼ中央部に縦方向に延びている。
【００３０】
この紙袋１０を用いて梱包体とする場合は、たとえば図２に示すように、１段４個、３段の１２ロール入りのパック２３を矢印Ｐのように収納し、上端よりいくらか低い高さまで積み上げる。ついで上端の周囲を内向きに折り曲げて開口部２０を塞ぎ、上面２０ａを形成する。さらに梱包用の粘着テープ２４などでしっかりと封緘する。それにより略直方体状の梱包体１５が得られる。なお、上面とほぼ同程度の大きさのアウターパッチを貼り付けてもよい。
【００３１】
得られた梱包体１５は、切れ目線１７が形成されている前側の側面２１が上になるように倒し、その上にさらにつぎの梱包体１５を乗せて多段状で保管・搬送する。切れ目線１７がある前側の側面２１およびその背面側の側面２１は、もっとも広い面であるので、その面を下にすると積み上げ時でも安定する。ただし通常は開梱のときの作業を効率的にするように切れ目線１７がある側面２１を上にする。積み上げる段数や横に並べる個数はフォークリフトの積載能力、パレットやトラックの荷台の大きさなどによる。
【００３２】
図３は紙袋１０を横向きにして、開口部２０からパック２３を横方向に押し込む場合を示している。特許文献２の自動梱包ラインで梱包する場合は、紙袋１０の開口部２０を横向きにするほうが被梱包物を一斉に充填しやすい。さらに開口部２０の周囲を折り曲げて、粘着テープを自動的に貼り付ける作業もし易い。なお、図３では幅が広い後ろ側の側面（図２の後ろ側）２１を下側にしているが、幅が狭い横側の側面２２を下側にすることもできる。ただし切れ目線１７が上向きになる状態で梱包体１５を載置するほうが、最終的に開梱する場合に便利である。そのため、幅が狭い側面２２を上下にする場合は、幅が狭い側面２２のうち、上側になる面に破断線を設けるのがこのましい。その場合は粘着テープ２４は図７のように短くする。
【００３３】
上記のようにして得られた梱包体１５は、前述の多段に積み上げた状態で保管・搬送され、問屋などの流通段階を経て販売店で開梱される。開梱時には切れ目線１７がある面を上に向け、図４ｂに示すように湾曲した開封線１８の近辺を指などで押し込み（矢印Ｋ１）、開封線１８を切断する。そして得られる隙間２５から指を入れ、端部２６を指で摘み出し、切れ目線１７を引き破るように矢印Ｋ２方向に引っ張る。紙袋が２層あるいは３層以上の複層の場合は、２本の切れ目線１７の間の部分は各層同士を糊付けしておくのが好ましい。それにより図４ｂのように引き破るときに各層を一緒に引き破ることができる。このような糊付けは、帯状（シート状）の紙を複数枚重ねるときに行うことができる。
【００３４】
上記のように切れ目線１７を引き破ると、図５の上側に示すように、上面に一対の切れ目線と同じ幅の細長い開口２７が得られる。ついで矢印Ｋ４、Ｋ４のように上面の片側２８を引き破り、さらに反対の部分２９も矢印Ｋ５、Ｋ５のように引き破る。そのとき左右の端面（図２では上面と下面）３０、３１は折り畳まれてアウターパッチや粘着テープで固定されているので強度が高く、上面と端面の境界の稜線に沿って比較的まっすぐに破ることができる。とくに端面（図２の上面２０ａ）と同形状のアウターパッチを貼り付けた梱包体では、稜線に沿ってまっすぐに破りやすい。
【００３５】
破った上面の片側２８とその反対の部分２９を開くと、図５の下側に示すように、梱包体１５の上面とほぼ同じ広さの広い開口３２が得られる。この状態はトイレットペーパのパック２３は緊縛状態から開放されているので、容易に開口部から取り出すことができる。なお、パック２３の持ち手２３ａを開口３２の側、すなわち図３の切れ目線１７の側に配置しておくと、さらにパック２３を取り出しやすい。
【００３６】
上記のように、梱包体１５は上下反転したりせずに容易に開梱することができ、底部の内容物も容易に取り出すことができる。さらにこの実施形態では、破断線として切れ目１７を採用しているので、袋の内外の通気も比較的容易である。そのため、梱包体１５を積み上げたとき、空気に邪魔されず、下段の内容物によって上段の内容物の重量を支持することができる。
【００３７】
前記実施の形態では、破断線として２本の平行な切れ目線を採用しているが、１本の切れ目線であってもよい。また、湿気を嫌う内容物の場合は、ミシン目のように開孔率が低い形態にすることもできる。さらに図６に示すように、紙袋１０の内面に強度が高いテープ３４などの芯材を貼り付けて破断線を構成することもできる。テープ３４は合成樹脂フィルム、とくに麻や合成繊維などの繊維で強化した合成樹脂フィルム、あるいは金属ないし強度が高い紙などで構成することができる。その場合の破断線は、紙袋１０を構成するシートにおけるテープ３４の側縁と対応する部位である。テープ３４を設ける場合は、切れ目線１７やミシン目を設ける必要はない。なお、テープ３４の中央部にあらかじめ分離した切り離し部３５を設けておくと、開封時にその部分から破ることができるので都合がよい。さらに切り離し部３５の近辺の端部３６を紙袋１０の外側に突出させておくと、その端部３６を摘んで引っ張るだけでまっすぐに引き裂くことができる。テープ３４は図１などの２本の切れ目線１７と組み合わせてもよく、その場合はテープ３４を２本の切れ目線１７の間の裏面側に配置する。
【００３８】
なお、テープに代えて、糸やひもなどを採用することができる。その場合は１本の破断線となる。糸やひもも切れ目線と併用することができる。図１などの実施形態では、２本の切れ目線１７で構成される破断線ないし引き裂き部は１本だけであるが、左右に１本ずつ互いに平行に設けることもでき、場合によりＸ字状にクロスさせて２本設けることもできる。左右に間隔をあけて設ける場合は、稜線に接近させると、荷送りシートなどを袋の中央部に貼り付けても破断線を引き破るときの邪魔になりにくい。複層の紙袋では、前記テープ３４や糸は最も内側の層の内面に設ける。
【００３９】
図７に示す梱包体３７では、縦方向の切れ目線１７がある面３８の端縁３９近辺に沿って、さらに横向きの切れ目線４０が形成されている。それらの切れ目線４０は、切れ目線４０が設けられている面３８の、隣接する他の側面２２に近い端部まで延びている。それぞれの横向きの切れ目線４０は、縦方向の切れ目線１７と連続（交差を含む）しており、全体として略Ｈ字状の破断線が得られる。なお、横向きの切れ目線４０は、紙袋の底面１２側や開口部を閉じた端面３１（図２の上面２０ａ）４１側の稜線に沿って形成することもできる。底面１２側に設ける場合は、図１のアウターパッチ１１との境界部分に設けるのが好ましい。切れ目線４０に代えて前述のテープやひもなど、他の破断線を設けてもよい。前記横向きの切れ目線４０を設ける場合は、開口部を閉じる粘着テープ２４は側面に回らないように短いものを用いるのが好ましい。
【００４０】
図７のようにＨ字状の破断線を形成する場合は、図５のように大きく開放する作業がさらに容易になる。とくに紙の繊維が縦方向に向いている場合は、横方向には真っ直ぐに破断しにくいが、上記のような横方向の切れ目線４０ないしテープを設ける場合は、容易に真っ直ぐに破断することができる。横方向の切れ目線４０は隣接する他の側面まで回り込む長さとすることもでき、また、隣接する他の側面に達しない長さとすることもできる。
【００４１】
前記実施の形態では紙袋１０にトイレットペーパのパックを収容している。トイレットペーパの１パック包装のように耐圧性がある被梱包物はとくに適する。またトイレットペーパの１パック包装以外に、たとえば米の袋、茶、ペットフード、砂糖などを充填した小型の袋、その他、小袋に充填する内容物に耐圧性がある被梱包物など、他の物を収容することもできる。茶などの粉体や菓子など、小分け包装などは、いくつかを纏めたパックにした上で梱包するほうが好ましい。
【図面の簡単な説明】
【００４２】
【図１】本発明の梱包用の袋の一実施形態を示す斜視図である。
【図２】その梱包用の袋の使用状態を示す斜視図である。
【図３】その梱包用の袋の他の使用状態を示す斜視図である。
【図４】図４ａは図１の袋の開封部を示す要部平面図、図４ｂはその開封部の開封手順を示す斜視図である。
【図５】図１の袋の開梱手順を示す斜視図である。
【図６】本発明に関わる破断線の他の実施形態を示す斜視図である。
【図７】本発明の梱包体のさらに他の実施形態を示す斜視図である。
【符号の説明】
【００４３】
１０  紙袋
１１  アウターパッチ
１２  底面
１３  突片
１４  展開面
１５  梱包体
１６  山折り線
１７  切れ目線
１７ａ  切れ目部
１７ｂ  つながり部
１８  開封線
１９  一点鎖線
１９ａ  稜線
２０  開口部
２０ａ  上面
２１  （前後の）側面
２２  （左右の）側面
２３  パック
２３ａ  持ち手
２４  粘着テープ
２５  隙間
Ｋ１〜５  矢印
２６  端部
２７  細長い開口
２８  片側
２９  反対の部分
３０、３１  端面
３２  開口
３４  テープ
３５  切り離し部
３６  端部
３７  梱包体
３８  面
３９  端縁
４０  （横向きの）切れ目線
【図１】
2005255202.tif 000003
【図２】
2005255202.tif 000004
【図３】
2005255202.tif 000005
【図４】
2005255202.tif 000006
【図５】
2005255202.tif 000007
【図６】
2005255202.tif 000008
【図７】
2005255202.tif 000009